(57)【要約】      （修正有）【課題】手が不自由な人でも容易に取り扱えるような簡便な構成であり、且つ容器に収容された収容物を絞り出す時に腕力を必要としない収容物絞り出し装置を提供する。【解決手段】円柱形状又は多角柱形状から成る一対の回動絞出部材を備え、一対の回動絞出部材の片方又は両方に回動手段を内蔵し、一対の回動絞出部材の間に挿入した容器を挟み込み、容器に収容された収容物を絞り出す回動絞出部と、回動絞出部の両端を回動可能に保持する保持部とを有する。【選択図】図１
0003169652.tif 000002
【実用新案登録請求の範囲】
【請求項１】
容器に収容された収容物を絞り出す収容物絞り出し装置であって、
円柱形状又は多角柱形状から成る一対の回動絞出部材を備え、該一対の回動絞出部材の片方又は両方に回動手段を内蔵し、該一対の回動絞出部材の間に挿入した前記容器を挟み込み該容器に収容された前記収容物を絞り出す回動絞出部と、
前記回動絞出部の両端を回動可能に保持する保持部とを有すること
を特徴とする収容物絞り出し装置。
【請求項２】
前記回動絞出部の前記一対の回動絞出部材は、外周部が伸縮部材から成り、一の前記回動絞出部材と他の前記回動絞出部材とが近接又は当接していること
を特徴とする請求項１に記載の収容物絞り出し装置。
【請求項３】
前記回動絞出部の前記一対の回動絞出部材は、長手方向に沿って表面に凹凸が形成されていること
を特徴とする請求項１に記載の収容物絞り出し装置。
【請求項４】
前記回動絞出部の前記一対の回動絞出部材は、長手方向の両端から中央に向かって直径が小さく形成されていること
を特徴とする請求項１に記載の収容物絞り出し装置。
【請求項５】
前記回動絞出部は、保持部に設けられた付勢手段により一の前記回動絞出部材が他の前記回動絞出部材に付勢していること
を特徴とする請求項１に記載の収容物絞り出し装置。
【請求項６】
前記保持部は、前記回動手段に駆動電力を供給する電源と前記回動手段への駆動電力の供給を制御するスイッチとを備えていること
を特徴とする請求項１に記載の収容物絞り出し装置。
【請求項７】
前記回動絞出部の一対の前記回動絞出部材の一方に前記回動手段が内蔵され、
前記保持部の前記スイッチを押下すると前記回動手段が一の方向に回転し、さらに前記スイッチを押下すると前記回動手段が反転する方向に回転し、さらに前記スイッチを押下すると前記回動手段が停止すること
を特徴とする請求項６に記載の収容物絞り出し装置。
【請求項８】
前記回動絞出部の一対の前記回動絞出部材の両方に前記回動手段が内蔵され、
前記保持部の前記スイッチを押下すると一組の前記回動手段がそれぞれ異なる方向に回転し、さらに前記スイッチを押下すると一組の前記回動手段がそれぞれ反転する方向に回転し、さらに前記スイッチを押下すると一組の前記回動手段が停止すること
を特徴とする請求項６に記載の収容物絞り出し装置。
【請求項９】
前記回動手段は、モータであること
を特徴とする請求項１に記載の収容物絞り出し装置。
【請求項１０】
前記付勢手段は、スプリング形状から成るバネであること
を特徴とする請求項５に記載の収容物絞り出し装置。
【考案の詳細な説明】
【技術分野】
【０００１】
本考案は、容器に収容された収容物を絞り出す収容物絞り出し装置に関する。
【背景技術】
【０００２】
従来、チューブ式のハミガキ用自動しぼり出し装置に関し、収納ケ−ス本体内にチュ−ブクリップ部によって吊り下げられたチュ−ブに対して、しぼり出しロ−ラが歯ブラシ誘導棒部の前後動に応じて、ギヤ−棒部が上下動し、ギヤ−棒部の下降の場合のみ、ラチェット部によって上記しぼり出しロ−ラが下降することで歯ブラシ上に、順次ねりハミガキ粉がしぼり出される構成がある（例えば、実用新案文献１参照。）。
【０００３】
また、チューブ入り製品の絞出器に関し、ピストルのストックのように機能する縦向部を含む鉤の手形状の主体と、主体の横向部に設けた凹溝部と、凹溝部の底壁の前端個所に設けたチューブの当接部と、凹溝部の左右両壁における当接部よりも後方の個所の間に回転自在の状態で横架した巻取軸と、巻取軸に設けたチューブ尾端の挟入用スリットと、巻取軸の一端に上端寄り個所を回転可能に支承した引金部材と、巻取軸の一端に回転不能に固着した爪車と、引金部材の上端部に爪車と外し可能に係合する状態で軸承したバネ付き送り爪と、左壁の外面に爪車と外し可能に係合する状態で軸承したバネ付き掣子と、引金部材と上記縦向部との間に挟装した引金部材に戻り力を与えるバネとを有する構成がある（例えば、実用新案文献２参照。）。
【先行技術文献】
【特許文献】
【０００４】
【特許文献１】実開平６−１８２５６号公報
【特許文献２】実開平５−３４９９２号公報
【考案の概要】
【考案が解決しようとする課題】
【０００５】
しかしながら、前述の構成では、例えば手が不自由な人が容易に取り扱えるような簡便な構成ではないという問題が有った。
【０００６】
そこで、本考案は前述の技術的な課題に鑑み、例えば手が不自由な人でも容易に取り扱えるような簡便な構成とし、且つ容器に収容された収容物を絞り出す時に腕力を必要としない収容物絞り出し装置の提供を目的とする。
【課題を解決するための手段】
【０００７】
前述の課題を解決すべく、本考案に係る収容物絞り出し装置は、容器に収容された収容物を絞り出す収容物絞り出し装置であって、円柱形状又は多角柱形状から成る一対の回動絞出部材を備え、該一対の回動絞出部材の片方又は両方に回動手段を内蔵し、該一対の回動絞出部材の間に挿入した前記容器を挟み込み該容器に収容された前記収容物を絞り出す回動絞出部と、前記回動絞出部の両端を回動可能に保持する保持部とを有することを特徴とする。
【考案の効果】
【０００８】
本考案に係る収容物絞り出し装置によれば、例えば手が不自由な人でも容易に取り扱うことが可能であり、且つ容器に収容された収容物を絞り出す時に腕力を必要としない。
【図面の簡単な説明】
【０００９】
【図１】本考案の第１の実施形態に係る収容物絞り出し装置１を使用している状態を示す模式図であり、（ａ）は収容物絞り出し装置１の回動絞出部１０の上方から容器Ｋを挿入し該容器Ｋに収容された収容物Ｎを絞り出し始める前の状態を示す模式図、（ｂ）は容器Ｋに収容された収容物Ｎを絞り出し終えた状態を示す模式図である。
【図２】本考案の第１の実施形態に係る収容物絞り出し装置１を示す斜視図であり、（ａ）は収容物絞り出し装置１を上方から示す斜視図、（ｂ）は収容物絞り出し装置１を下方から示す斜視図である。
【図３】本考案の第１の実施形態に係る収容物絞り出し装置１を示す図であり、（ａ）は収容物絞り出し装置１を上方から示す上面図、（ｂ）は収容物絞り出し装置１を側方から示す側面図、（ｃ）は収容物絞り出し装置１を下方から示す下面図である。
【図４】本考案の第１の実施形態に係る収容物絞り出し装置１を構成部材毎に上下方向に分解して示す斜視図である。
【図５】本考案の第１の実施形態に係る収容物絞り出し装置１を構成部材毎に上下及び左右方向等に分解して示す斜視図である。
【図６】本考案の第１の実施形態に係る収容物絞り出し装置１を構成する回動絞出部１０を示す斜視図であり、（ａ）は回動絞出部１０を示す斜視図、（ｂ）は回動絞出部１０の片側を透過させた状態で示す斜視図、（ｃ）は回動絞出部１０を構成部材毎に分解して示す斜視図である。
【図７】本考案の第１の実施形態に係る収容物絞り出し装置１を構成する保持部２０の一部の構成部材を上下方向に分解して一方から示す斜視図であり、該構成部材の片側を透過させた状態で示している。
【図８】本考案の第１の実施形態に係る収容物絞り出し装置１を構成する保持部２０の一部の構成部材を上下方向に分解して他方から示す斜視図であり、該構成部材の片側を透過させた状態で示している。
【図９】本考案の第２の実施形態に係る表面に凹凸が形成された一対の回動絞出部材を備えた回動絞出部３０を配設した収容物絞り出し装置２を示す斜視図であり、（ａ）は収容物絞り出し装置２を上方から示す斜視図、（ｂ）は収容物絞り出し装置２を下方から示す斜視図である。
【図１０】本考案の第２の収容物絞り出し装置２の要部を拡大して示す斜視図であり、図９（ａ）に対応している。
【図１１】本考案の第３の実施形態に係る両端から中央にかけて直径が小さく形成された一対の回動絞出部材を備えた回動絞出部４０を配設した収容物絞り出し装置３を示す斜視図であり、（ａ）は収容物絞り出し装置３を上方から示す斜視図、（ｂ）は収容物絞り出し装置３を下方から示す斜視図である。
【図１２】本考案の第３の収容物絞り出し装置３の要部を拡大して示す斜視図であり、図１１（ａ）に対応している。
【図１３】本考案の第４の実施形態に係る一対の回動絞出部材が他の回動絞出部材に付勢する回動絞出部５０を配設した収容物絞り出し装置４を示す斜視図であり、（ａ）は収容物絞り出し装置４を上方から示す斜視図、（ｂ）は収容物絞り出し装置４を下方から示す斜視図である。
【図１４】本考案の第４の収容物絞り出し装置４の要部を拡大し且つ保持部６０の一部の構成部材を透過させた状態で示す斜視図であり、図１３（ａ）に対応している。
【考案を実施するための形態】
【００１０】
以下、本考案の収容物絞り出し装置に係る好適な実施形態について、図面を参照しながら説明する。なお、本考案の収容物絞り出し装置は、以下の記述に限定されるものではなく、本考案の要旨を逸脱しない範囲において、適宜変更可能である。
【００１１】
また、以下の説明においては、最初に本考案の第１の実施形態に係る収容物絞り出し装置１について図１乃至図８を参照しながら説明する。次に本考案の第２の実施形態に係る収容物絞り出し装置２について図９及び図１０を参照しながら説明する。次に本考案の第３の実施形態に係る収容物絞り出し装置３について図１１及び図１２を参照しながら説明する。最後に本考案の第４の実施形態に係る収容物絞り出し装置４について図１３及び図１４を参照しながら説明する。
【００１２】
［第１の実施形態］
以下、本考案の第１の実施形態に係る収容物絞り出し装置１について、図１乃至図８を参照しながら、具体的に説明する。
【００１３】
本考案の第１の実施形態に係る収容物絞り出し装置１は、図２及び図３に示すように、容器Ｋに収容された収容物Ｎを絞り出す回動絞出部１０と、回動絞出部１０の両端を回動可能に保持する保持部２０から構成されている。この様な収容物絞り出し装置１は、図１に示すように、容器Ｋの下端Ｋｂを回動絞出部１０の一対の回動絞出部材１３の間に挿入した後、該下端Ｋｂから容器Ｋの中央部Ｋａを介して上端Ｋｃまで絞り込むことにより、容器Ｋの取出口Ｋｄから収容物Ｎを絞り出して使用する。以下、収容物絞り出し装置１を構成する回動絞出部１０及び保持部２０について順に説明する。
【００１４】
収容物絞り出し装置１を構成する回動絞出部１０は、図１、図４、及び図５に示すように、円柱形状又は多角柱形状から成る一対の回動絞出部材１３を備え、該一対の回動絞出部材１３の片方又は両方に回動手段に相当するモータ１１を内蔵し、該一対の回動絞出部材１３の間に挿入した容器Ｋを挟み込み該容器Ｋに収容された収容物Ｎを絞り出す。ここで、回動絞出部１０の両端は、図４及び図５に示すように、後述する保持部２０の第１筐体２１と第２筐体２２に挟み込まれた状態で、回動可能に保持されている。この様な回動絞出部１０は、回動手段に相当するモータ１１、モータ収納部材１２、回動絞出部材１３、及び歯車１４から構成されている。以下、回動絞出部１０の各構成について図６を参照しながら説明する。
【００１５】
回動絞出部１０の回動手段は、図６に示すように、例えばモータ１１から成る。この様なモータ１１は、コイルと永久磁石から成る本体１１ａと、該本体１１ａで発生した回転力を外部に伝達する回転軸１１ｂから構成されている。また、モータ１１には、図示せぬ配線により、後述するモータ収納部材１２の回転部１２ｃを介して、保持部２０の電源２４から駆動電力が供給される。なお、回転軸１１ｂが外部の負荷により停止した場合には、図示せぬセンサ等が該停止を検出して本体１１ａへの駆動電力の供給を停止する構成としても良い。なお、モータ１１は、一対の回動絞出部材１３の片方又は両方に内蔵されている。
【００１６】
また、回動絞出部１０のモータ収納部材１２は、図６に示すように、例えば、ステンレスから成り、円筒形状に形成されている。この様なモータ収納部材１２は、該モータ収納部材１２の内周面１２ａに、モータ１１を挿入して接着剤により接合した状態で収納する。また、モータ収納部材１２には、モータ１１を収納した一端と反対側に突出部１２ｂが設けられ、該突出部１２ｂの先端に円柱形状の回転部１２ｃが形成されている。ここで、モータ収納部材１２の回転部１２ｃが、図４及び図５に示すように、後述する保持部２０の第１筐体２１と第２筐体２２に挟み込まれた状態で回動可能に保持される。また、例えば、モータ収納部材１２の回転部１２ｃに金属端子が被覆又は挿通され、該金属端子を介し、モータ１１と電源２４が図示せぬ配線により電気的に接続されている。
【００１７】
また、回動絞出部１０の回動絞出部材１３は、図６に示すように、硬質プラスチックスから成り、円筒形状に形成されている。この様な回動絞出部材１３は、該回動絞出部材１３の内周面１３ａに、モータ収納部材１２の外周面１２ｄを当接させ接着剤により接合した状態で収納する。また、回動絞出部材１３の開口部１３ｂは、後述する歯車１４を回動可能に挿通している。ここで、回動絞出部材１３の外周部１３ｃに、伸縮可能なゴムを被覆する構成としても良い。また、回動絞出部材１３を、伸縮可能なゴムで形成しても良い。
【００１８】
また、回動絞出部１０の歯車１４は、図６に示すように、例えば、ステンレスから成り、円筒形状に形成され且つ外周の一部に凹凸が形成されている。この様な歯車１４は、該歯車１４の内周面１４ａに、モータ１１の回転軸１１ｂが挿入され接着剤により接合されている。また、歯車１４の外周面１４ｃは、回動絞出部材１３の開口部１３ｂに対して回動可能に挿通されている。また、歯車１４の一端には、円柱形状から成り外周に凹凸が形成された凹凸部１４ｂが設けられている。該歯車１４の凹凸部１４ｂが、図４及び図５に示すように、後述する保持部２０の第１筐体２１と第２筐体２２に挟み込まれた状態で、保持される。ここで、回動絞出部１０の歯車１４が保持部２０に挟み込まれて係留された状態で、該回動絞出部１０のモータ１１、モータ収納部材１２、及び回動絞出部材１３が一体に回動する。
【００１９】
収容物絞り出し装置１を構成する保持部２０は、図４及び図５に示すように、回動絞出部１０の両端を回動可能に保持する。具体的には、保持部２０の第１筐体２１及び第２筐体２２は、図４及び図６に示すように、回動絞出部１０のモータ収納部材１２の回転部１２ｃと歯車１４の凹凸部１４ｂとを挟み込んだ状態で、回動絞出部１０の回動絞出部材１３を回動可能に保持している。この様な保持部２０は、第１筐体２１、第２筐体２２、電源交換用蓋２３、電源２４、スイッチ２５、及びモータ制御装置２６から構成されている。以下、保持部２０の各構成について図５乃至図８を参照しながら説明する。
【００２０】
保持部２０の第１筐体２１は、例えば、強化プラスチックスから成り、一方が２つに分岐し且つ全体が湾曲した形状に形成されている。この様な第１筐体２１は、持手部２１ａの先端が２つに分岐して一対の分岐部２１ｂが形成されている。なお、第１筐体２１と第２筐体２２は、第１筐体２１の一面に平面から形成された分割面２１ｆと、後述する第２筐体２２の一面に平面から形成された分割面２２ｆとを接着剤等で接合して、一の筐体に形成する構成である。ここで、一対の一方の分岐部２１ｂには、半円筒形状から成る穴の内周面に凹凸が形成された歯車係留部２１ｃ及び歯車係留部２１ｄが、所定の間隔で設けられている。この様な歯車係留部２１ｃ及び歯車係留部２１ｄには、それぞれ回動絞出部１０の歯車１４の凹凸部１４ｂが係留されることにより、回動絞出部材１３が回動可能に保持される。同様に、一対の他方の分岐部２１ｂには、半円筒形状から成る穴が形成された回転係留部２１ｐ及び回転係留部２１ｑが、所定の間隔で設けられている。この様な回転係留部２１ｐ及び回転係留部２１ｑには、それぞれ回動絞出部１０のモータ収納部材１２の回転部１２ｃが回動可能に係留される。
【００２１】
また、保持部２０の第１筐体２１の持手部２１ａの表面には、後述する長方形状から成るスイッチ２５の下部を収納するための、所定の深さの穴から成るスイッチ収納穴２１ｅが形成されている。さらに、また、持手部２１ａの内部には、後述する長方形状から成る電源２４を収納するための、所定の深さの穴から成る第１電源収納穴２１ｇが形成されている。なお、第１電源収納穴２１ｇには、電源２４に加えて後述するモータ制御装置２６も隣接して収納されている。
【００２２】
また、保持部２０の第２筐体２２は、該第２筐体２２と第１筐体２１が接合して一の筐体と成る構成である。したがって、第２筐体２２の分岐部２２ｂ、歯車係留部２２ｃ、歯車係留部２２ｄ、回転係留部２２ｐ、及び回転係留部２２ｑの構成は、第１筐体２１の分岐部２１ｂ、歯車係留部２１ｃ、歯車係留部２１ｄ、回転係留部２１ｐ、及び回転係留部２１ｑの構成とそれぞれ同様である。また、第２筐体２２の第２電源収納穴２２ｈは、第２筐体２２と第１筐体２１とを接合したときに、第１筐体２１の第１電源収納穴２１ｇと対応する穴である。また、第２筐体２２の第２電源収納穴２２ｈの長手方向の一端には、後述する電源交換用蓋２３用の蓋係合溝２２ｉが形成されている。同様に、該第２電源収納穴２２ｈの長手方向の他端には、蓋係合溝２２ｊが形成されている。第２筐体２２の分割面２２ｆに形成された配線溝２２ｋは、保持部２０の電源２４からモータ収納部材１２の回転部１２ｃを介してモータ１１に駆動電力を供給するための、図示せぬ配線を埋設する溝である。
【００２３】
また、保持部２０の電源交換用蓋２３は、第１筐体２１と第２筐体２２が接合して一の筐体を形成し、内部に電源２４及びモータ制御装置２６を収納した状態で、電源２４の交換時に使用する蓋である。この様な電源交換用蓋２３は、例えば、プラスチックスから成り、略板状に形成されている。ここで、電源交換用蓋２３の一面２３ａの一端部２３ｂは、第２筐体２２の蓋係合溝２２ｊに係合される。同様に、電源交換用蓋２３の一面２３ａの他端部２３ｃは、第２筐体２２の蓋係合溝２２ｉに係合される。また、電源交換用蓋２３の一面２３ａの他端部２３ｃの近傍には、弓状に形成された湾曲部２３ｄが形成されている。ここで、電源交換用蓋２３の一部を付勢すると湾曲部２３ｄが湾曲し、第２筐体２２から電源交換用蓋２３を脱着することができる。
【００２４】
また、保持部２０の電源２４は、図４に示すように、回動手段に相当するモータ１１に駆動電力を供給する。この様な電源２４は、例えば、乾電池又は蓄電池から成る。また、電源２４に対して交流１００Ｖが供給されている家庭用のコンセントから充電させる構成としても良い。また電源２４は、後述するスイッチ２５及びモータ制御装置２６に電気的に接続されている。また、保持部２０のスイッチ２５は、図４に示すように、回動手段に相当するモータ１１への駆動電力の供給を制御する。この様なスイッチ２５は、電源２４及び後述するモータ制御装置２６に電気的に接続されている。
【００２５】
また、保持部２０のモータ制御装置２６は、図４に示すように、図示せぬ制御用のＬＳＩ等が実装された基板から構成され、電源２４及びスイッチ２５に電気的に接続されている。この様なモータ制御装置２６は、回動絞出部１０の回動手段に相当するモータ１１に対し、スイッチ２５を介して、電源２４から駆動電力を供給する制御を行なう。具体的には、例えば、スイッチ２５を押下するとモータ１１が一の方向に回転し、さらにスイッチ２５を押下するとモータ１１が反転する方向に回転し、さらにスイッチ２５を押下するとモータ１１が停止する制御を実行することができる。ここで、一対の回動絞出部材１３の両方にモータ１１が内蔵されている場合には、一組のモータがそれぞれ異なる方向に回転する。この様な制御により、回動絞出部１０を一定の方向に回転させて容器Ｋに収容された収容物Ｎを絞り出し終えた後に、回動絞出部１０を反転させることにより容器Ｋを取り出してから、回動絞出部１０を停止させることができる。
【００２６】
以上、本考案の第１の実施形態に係る収容物絞り出し装置１によれば、図１等に示すように、円柱形状又は多角柱形状から成る一対の回動絞出部材１３を備え、該一対の回動絞出部材１３の片方又は両方に回動手段に相当するモータ１１を内蔵し、該一対の回動絞出部材１３の間に挿入した容器Ｋを挟み込み該容器Ｋに収容された収容物Ｎを絞り出す回動絞出部１０と、回動絞出部１０の両端を回動可能に保持する保持部２０とを有することにより、例えば手が不自由な人でも容易に取り扱うことが可能であり、且つ容器に収容された収容物を絞り出す時に腕力を必要としない。
【００２７】
［第２の実施形態］
以下、本考案の第２の実施形態に係る収容物絞り出し装置２について、図９及び図１０を参照しながら、具体的に説明する。
【００２８】
ここで、本考案の第２の実施形態に係る収容物絞り出し装置２は、図９及び図１０に示すように、回動絞出部３０の一対の回動絞出部材３３に長手方向に沿って表面に凹凸が形成され、該一対の回動絞出部材３３に挟み込んだ容器Ｋが滑ることを防止できることに特徴を有している。また、それ以外の第２の実施形態に係る構成は、第１の実施形態で述べた構成と同様である。そこで、第２の実施形態においては、第１の実施形態と異なる回動絞出部３０の構成について中心に説明する。
【００２９】
収容物絞り出し装置２を構成する回動絞出部３０は、前述した回動絞出部１０に設けられた構成部材と同一のモータ１１、モータ収納部材１２、及び歯車１４と、回動絞出部３０に特有の回動絞出部材３３から構成される。そこで、回動絞出部３０に設けられた回動絞出部材３３について説明する。回動絞出部３０の回動絞出部材３３は、図１０に示すように、硬質プラスチックスから成り、円筒形状に形成されている。ここで、回動絞出部材３３は、該回動絞出部材３３の長手方向に沿って表面に凹凸が形成されている。なお、回動絞出部材３３の外周部に、表面に凹凸が形成され伸縮可能なゴムを被覆する構成としても良い。また、回動絞出部材３３を、伸縮可能なゴムで形成しても良い。
【００３０】
以上、本考案の第２の実施形態に係る収容物絞り出し装置２によれば、本考案の第１の実施形態に係る収容物絞り出し装置１と同様に、例えば手が不自由な人でも容易に取り扱うことが可能であり、且つ容器に収容された収容物を絞り出す時に腕力を必要としない。
【００３１】
さらに、本考案の第２の実施形態に係る収容物絞り出し装置２によれば、回動絞出部３０の一対の回動絞出部材３３に長手方向に沿って表面に凹凸が形成されていることから、例えば該一対の回動絞出部材３３に挟み込んだ容器Ｋに水等が付着していることに起因して該容器Ｋが滑ることを防止できる。
【００３２】
［第３の実施形態］
以下、本考案の第３の実施形態に係る収容物絞り出し装置３について、図１１及び図１２を参照しながら、具体的に説明する。
【００３３】
ここで、本考案の第３の実施形態に係る収容物絞り出し装置３は、図１１及び図１２に示すように、回動絞出部４０の一対の回動絞出部材４３が長手方向の両端から中央に向かって直径が小さく形成され、容器Ｋに収容された収容物Ｎを該容器Ｋの両端から中央に向かって集めることができることに特徴を有している。また、それ以外の第３の実施形態に係る構成は、第１の実施形態で述べた構成と同様である。そこで、第３の実施形態においては、第１の実施形態と異なる回動絞出部４０の構成について中心に説明する。
【００３４】
収容物絞り出し装置３を構成する回動絞出部４０は、前述した回動絞出部１０に設けられた構成部材と同一のモータ１１、モータ収納部材１２、及び歯車１４と、回動絞出部４０に特有の回動絞出部材４３から構成される。そこで、回動絞出部４０に設けられた回動絞出部材４３について説明する。回動絞出部４０の回動絞出部材４３は、図１２に示すように、硬質プラスチックスから成り、円筒形状に形成されている。ここで、回動絞出部材４３は、該回動絞出部材４３の長手方向の両端から中央に向かって直径が小さく形成されている。具体的には、回動絞出部材４３の端部４３ｂの直径と比較して、中央部４３ａの直径の方が小さく形成されている。なお、回動絞出部材４３の外周部に、伸縮可能なゴムを被覆する構成としても良い。また、回動絞出部材４３を、伸縮可能なゴムで形成しても良い。
【００３５】
以上、本考案の第３の実施形態に係る収容物絞り出し装置３によれば、本考案の第１の実施形態に係る収容物絞り出し装置１と同様に、例えば手が不自由な人でも容易に取り扱うことが可能であり、且つ容器に収容された収容物を絞り出す時に腕力を必要としない。
【００３６】
さらに、本考案の第３の実施形態に係る収容物絞り出し装置３によれば、回動絞出部４０の一対の回動絞出部材４３が長手方向の両端から中央に向かって直径が小さく形成されていることから、容器Ｋに収容された収容物Ｎを絞り出すときに、容器Ｋに収容された収容物Ｎを該容器Ｋの両端から中央に向かって集めることができる。
【００３７】
［第４の実施形態］
以下、本考案の第４の実施形態に係る収容物絞り出し装置４について、図１３及び図１４を参照しながら、具体的に説明する。
【００３８】
ここで、本考案の第４の実施形態に係る収容物絞り出し装置４は、図１３及び図１４に示すように、保持部６０に設けられた付勢手段に相当するバネ６６により回動絞出部５０の一の回動絞出部材５５が他の回動絞出部材１３に付勢することにより、容器Ｋの厚みによらず該容器Ｋに収容された収容物Ｎを絞り出すことができることに特徴を有している。また、それ以外の第４の実施形態に係る構成は、第１の実施形態で述べた構成と同様である。そこで、第４の実施形態においては、第１の実施形態と異なる回動絞出部５０及び保持部６０の構成について中心に説明する。
【００３９】
収容物絞り出し装置４を構成する回動絞出部５０は、前述した回動絞出部１０に設けられた構成部材と同一のモータ１１、モータ収納部材１２、１個の回動絞出部材１３、及び歯車１４と、回動絞出部５０に特有の１個の回動絞出部材５５から構成される。そこで、回動絞出部５０に設けられた回動絞出部材５５について説明する。回動絞出部５０の回動絞出部材５５は、図１４に示すように、硬質プラスチックスから成り、円柱形状に一体形成されている。具体的には、回動絞出部材５５は、前述した回動絞出部材１３の外周部１３ｃと同様の形状から成る外周部５５ｓが形成され、両端に前述したモータ収納部材１２の回転部１２ｃと同様の形状から成る回転部５５ｔが形成されている。ここで、回動絞出部材５５は一体形成され、モータ１１が内蔵されていない。この様な１個の回動絞出部材５５が、１個の回動絞出部材１３に当接して配設されている。なお、回動絞出部材５５の外周部に、伸縮可能なゴムを被覆する構成としても良い。また、回動絞出部材５５を、伸縮可能なゴムで形成しても良い。
【００４０】
収容物絞り出し装置４を構成する保持部６０は、前述した保持部２０に設けられた構成部材と同一の電源交換用蓋２３、電源２４、スイッチ２５、及びモータ制御装置２６と、保持部６０に特有の第１筐体６１、第２筐体６２、及び付勢手段に相当するバネ６６から構成される。そこで、保持部６０に設けられた第１筐体６１、第２筐体６２、及び付勢手段に相当するバネ６６について説明する。保持部６０の第２筐体６２は、保持部２０の第２筐体２２の仕様について基本的に同様であるが、回動絞出部材移動部６２ｎ及びバネ収納部６２ｍが別途設けられている。ここで、第２筐体２２の回動絞出部材移動部６２ｎは、保持部２０の第２筐体２２の回動係留部２２ｐ及び歯車係留部２２ｃの変形例に相当し、回動絞出部材５５の回転部５５ｔが第２筐体２２の長手方向に沿って所定の距離だけ移動可能なように、長穴状に形成されている。また、第２筐体２２のバネ収納部６２ｍは、回動絞出部材移動部６２ｎに隣接し、所定の深さの穴から形成され、バネ６６を伸縮可能に収納する。
【００４１】
また、保持部６０の第１筐体６１は、保持部２０の第１筐体２１の仕様と基本的に同様であるが、第２筐体６２に形成されたバネ収納部６２ｍ及び回動絞出部材移動部６２ｎと同一の構成が設けられている。また、保持部６０の付勢手段に相当するバネ６６は、例えば、金属製のスプリング状のバネから成り、第２筐体６２のバネ収納部６２ｍ及び図示せぬ第１筐体６１のバネ収納部に収納されている。この様なバネ６６は、回動絞出部材５５の両端に設けられた回転部５５ｔに対して付勢することにより、回動絞出部材５５が回動絞出部材１３に対して付勢した状態で当接する。
【００４２】
以上、本考案の第４の実施形態に係る収容物絞り出し装置４によれば、本考案の第１の実施形態に係る収容物絞り出し装置１と同様に、例えば手が不自由な人でも容易に取り扱うことが可能であり、且つ容器に収容された収容物を絞り出す時に腕力を必要としない。
【００４３】
さらに、本考案の第４の実施形態に係る収容物絞り出し装置４によれば、保持部６０に設けられた付勢手段に相当するバネ６６により回動絞出部５０の一の回動絞出部材５５が他の回動絞出部材１３に付勢していることから、容器Ｋの厚みによらず該容器Ｋに収容された収容物Ｎを絞り出すことができる。
【００４４】
なお、上述した本考案の第１乃至第４の実施形態に係る収容物絞り出し装置１乃至収容物絞り出し装置４について、各実施形態の構成を組み合わせても良い。具体的には、例えば、本考案の収容物絞り出し装置について、第２の実施形態に係る収容物絞り出し装置２を構成する回動絞出部３０の１個の回動絞出部材３３と、第３の実施形態に係る収容物絞り出し装置３を構成する回動絞出部４０の１個の回動絞出部材４３とを、近接又は当接させて配設する構成としても良い。
【符号の説明】
【００４５】
１  収容物絞り出し装置
２  収容物絞り出し装置
３  収容物絞り出し装置
４  収容物絞り出し装置
１０  回動絞出部
１１  回動絞出部材
１１  モータ
１１ａ  本体
１１ｂ  回転軸
１２  モータ収納部材
１２ａ  内周面
１２ｂ  突出部
１２ｃ  回転部
１２ｄ  外周面
１３  回動絞出部材
１３ａ  内周面
１３ｂ  開口部
１３ｃ  外周部
１４  歯車
１４ａ  内周面
１４ｂ  凹凸部
１４ｃ  外周面
２０  保持部
２１  第１筐体
２１ａ  持手部
２１ｂ  分岐部
２１ｃ  歯車係留部
２１ｄ  歯車係留部
２１ｅ  スイッチ収納穴
２１ｆ  分割面
２１ｇ  第１電源収納穴
２１ｐ  回転係留部
２１ｑ  回転係留部
２２  第２筐体
２２ｂ  分岐部
２２ｃ  歯車係留部
２２ｄ  歯車係留部
２２ｆ  分割面
２２ｈ  第２電源収納穴
２２ｉ  蓋係合溝
２２ｊ  蓋係合溝
２２ｋ  配線溝
２２ｐ  回転係留部
２２ｑ  回転係留部
２３  電源交換用蓋
２３ａ  一面
２３ｂ  一端部
２３ｃ  他端部
２３ｄ  湾曲部
２４  電源
２５  スイッチ
２６  モータ制御装置
３０  回動絞出部
３３  回動絞出部材
４０  回動絞出部
４３  回動絞出部材
４３ａ  中央部
４３ｂ  端部
５０  回動絞出部
５５  回動絞出部材
５５ｓ  外周部
５５ｔ  回転部
６０  保持部
６１  第１筐体
６２  第２筐体
６２ｍ  バネ収納部
６２ｎ  回動絞出部材移動部
６６  バネ
Ｋ  容器
Ｋａ  中央部
Ｋｂ  下端
Ｋｃ  上端
Ｋｄ  取出口
Ｎ  収容物
【図１】
0003169652.tif 000003
【図２】
0003169652.tif 000004
【図３】
0003169652.tif 000005
【図４】
0003169652.tif 000006
【図５】
0003169652.tif 000007
【図６】
0003169652.tif 000008
【図７】
0003169652.tif 000009
【図８】
0003169652.tif 000010
【図９】
0003169652.tif 000011
【図１０】
0003169652.tif 000012
【図１１】
0003169652.tif 000013
【図１２】
0003169652.tif 000014
【図１３】
0003169652.tif 000015
【図１４】
0003169652.tif 000016